(57)【要約】      （修正有）【課題】袋状収納部にコンパクトに収納され、ベビーカー本体の座席空間に乗せた幼児を雨や風から防ぐ時は、袋状収納部から可撓性のレインカバー本体を引き出して座席空間の幼児を全体的に覆うことができるベビーカー用レインカバーを提供する。【解決手段】可撓性のレインカバー本体５を収納した袋状収納部１と、この袋状収納部の外面に接続する連結部としてのオス・メスの面ファスナー２と、袋状収納部に設けられ、務歯を摺動するスライダーを備えた第１開閉手段としてのスライダーファスナー３と、一方、レインカバー本体に設けられ、務歯を摺動するスライダーを有する第２開閉手段としてのスライダーファスナーを備え、袋状収納部は、連結部を介してベビーカー本体Ｙの手押し杆の略逆Ｕ字形状の把手部分１２に装着可能であると共に、袋状収納部をそのまま把手部分に取り付けたままの状態で、把手部分の後方側からベビーカー本体の幌部１３の上面側へと位置変位させることが可能である。【選択図】図１
0003227819.tif 000002
【実用新案登録請求の範囲】
【請求項１】
ベビーカー本体に装着可能であると共に、袋状収納部にコンパクトに収納され、一方、該ベビーカー本体の座席空間に乗せた幼児を雨や風から防ぐ時は、前記袋状収納部から可撓性のレインカバー本体を引き出して前記座席空間の幼児を全体的に覆うことができるベビーカー用レインカバーであり、
不使用時、前記袋状収納部は、前記ベビーカー本体の手押し杆の略逆Ｕ字形状の把手部分に着脱可能な連結部を介して一体的に装着され、しかも、前記把手部分の後方側と前記ベビーカー本体の幌部の上面側との間で前記連結部を介して自在に位置変位可能であり、
一方、使用時、前記袋状収納部をそのまま前記略逆Ｕ字形状の把手部分に取り付けたままの状態で、前記把手部分の後方側から前記ベビーカー本体の幌部の上面側へと位置変位させ、かつ、該袋状収納部の一部を、係着機能を有する第１開閉手段を介して開口し、その中から前記袋状収納部に接続する前記レインカバー本体を広げるように引き出し、少なくとも前記座席空間を全体的に覆うことができるベビーカー用レインカバー。
【請求項２】
請求項１のベビーカー用レインカバーに於いて、前記可撓性のレインカバー本体は、撥水加工が施されたレインコート素材であることを特徴とするベビーカー用レインカバー。
【請求項３】
請求項１又は請求項２のベビーカー用レインカバーに於いて、前記開口の中から引き出された前記レインカバー本体は、前記袋状収納部の開口からベビーカー本体の幌部を含む前記座席空間全体及び該ベビーカー本体の前脚の前輪付近まで幅広く広げることができ、その形態は小舟を反転した態様の曲面状正面側カバー部分と、この曲面状正面側カバー部分に対してその一部が前記袋状収納部側から所定方向へと分離し、かつ、前記把手部分の下端部に内側から係止させた状態で前方側へと広げられた下部側カバー部とを有し、曲面状正面側カバー部分の下端縁部と下部側カバー部の上端縁部を合わせた左右の両縁部は、係着機能を有する左右一対の第２開閉手段を介してそれぞれ閉じることができることを特徴とするベビーカー用レインカバー。
【請求項４】
請求項１のベビーカー用レインカバーに於いて、使用時、レインカバー本体の裾部分に取付けた複数の裾連結部は、ベビーカー本体の左右の前脚部と後脚部に対してそれぞれ係着自在であることを特徴とするベビーカー用レインカバー。
【請求項５】
請求項１のベビーカー用レインカバーに於いて、使用時、レインカバー本体の開口下端縁部は、風で広がらないように紐手段を介して締めることができることを特徴とするベビーカー用レインカバー。
【考案の詳細な説明】
【技術分野】
【０００１】
本考案は、幼児（乳幼児も含む）をベビーカーに乗せた場合に使用されるベビーカー用レインカバーに関する。
【背景技術】
【０００２】
特許文献１の発明の課題は、「屋外での突然の雨や、冷たい風からベビーカー使用中の乳幼児を保護するため、ベビーカーの居住空間全体を覆うレインカバーを簡便に装着することができ、使用後は簡単に収納可能であり、外出時に持参忘れの心配がないようにしたレインカバー装置を得ること」である。
【０００３】
上記課題を達成するために、特許文献１の発明は、ベビーカー本体に装着される幌２１の後部に、上記幌２１に被せてベビーカー本体を覆うことができるようにしたレインカバー２３を収納するレインカバー収納用のポケット２２を設けたもの」である。
【０００４】
すなわち、特許文献１の図１、図２及び段落００１１には、「 一方、上記手押し杆１５の左右のパイプ１８には拡開可能な幌２１が装着されている。上記幌２１の後部に位置する背面幌部２１ａの外表面には、図２に示すように、レインカバーを収納可能なレインカバー収納用のポケット２２が設けられている。」ことが記載されている。
【０００５】
しかしながら、特許文献１の発明は、常にレインカバーがポケット２２を介して幌２１の後部に取り付けられているので、外出時にレインカバーの持参忘れの心配をなくすことができる等の利点を有するものの、上記ポケット２２は、幌２１の後部背面の外表面に固定的に位置付けされた構成であるから、ポケット２２を操作し易い場所（例えば幌２１の上方）へと自由に移動させることができない、ポケット２２からレインカバー２３を引き出し、図３で示すように幌２１を含むベビーカー本体を略全体的に覆うには時間がかかり過ぎる、ポケット２２はベビーカー本体の装置の一部となるから、例えばレインカバー２３を洗濯したい場合には幌２１の後部背面から自由に取り外すことができない等の問題点があった（符号は特許文献１のもの）。
【０００６】
また特許文献２の段落００３０から段落００３６には、図５（ａ）、図５（ｂ）等と共に、次のような記載がある。
【０００７】
「図５（ａ）および図５（ｂ）に示されるように、本実施の形態３にかかわるベビーカーカバー９は、カバー本体１０の一部に、ベビーカー本体との接続部材１１が設けられ、前記接続部材１１に、ベビーカーを把持する把持部１２と、ベビーカーを保持する保持部材１３が設けられ、前記カバー本体の一部に、該保持部材と対応する被保持部材が設けられてなる。」
「実施の形態１にかかわるベビーカーカバー１は、弾性材４によりベビーカー本体の背もたれ部や座席部を覆うように装着されるが、ベビーカー本体の種類によっては、屋根部が設けられていないものもあり、そのような場合には、乳幼児の頭部付近を充分に仮保持することができないとも考えられる。」
「そこで、本実施の形態３のベビーカーカバー９には、ベビーカー本体と接続しうるよう接続部材１１が設けられ、かかる接続部材１１に設けられた把持部１２を使用することにより、ベビーカー本体の枠組みを把持し、屋根部１４が設けられていないベビーカーに使用した場合であっても、屋根部１４に相当する部位として機能させることができる。」 
「なお、屋根部１４が設けられているベビーカー本体に使用してもなんら問題はない（図５（ａ）および図５（ｂ）では、屋根部１４を有するベビーカー本体に使用した場合を例示）。接続部材１１の材質としては特に限定されず、防水、撥水効果を付与する目的では、たとえばフッ素樹脂コーティングを施したものが好ましい。」 
「さらに、前記接続部材１１に、カバー本体１０の一部を保持する保持部材１３を設け、前記カバー本体の一部に、該保持部材と対応する被保持部材を設けることも可能である。該被保持部材は、カバー本体１０の一部に設けられており、本実施の形態３のベビーカーカバー９を折りたたんだ際に、前記保持部材１３と係合するよう、対応する位置に設けられている。」
「保持部材１３および被保持部材の材質、形状としては特に限定されないが、保持部材１３が、たとえばフック状に形成されている場合は、被保持部材は、そのフックと対応するよう形成されていればよく、フックが係合するよう貫通孔になっていてもよい。また、保持部材１３や被保持部材は、それぞれ対応するボタンで形成されていてもよい。」
「さらに、両部材ともに磁石で形成されていてもよく、自由に選択することができる。その他の部材については、実施の形態１および２と同様であるため、説明を省略する。」
上記実用新案は、逆Ｕ字状把手部の上部水平部付近の左右腕杆部に、前記上部水平部に対して所定間隔離間してベルト状の水平接続部１１を張った状態に設け、かつ、このベルト状の水平接続部１１にカバー本体１０のベビーカーカバー９を折り畳むと共に保持部材で止めるようにしたので、屋根部１４（幌部）を有しないベビーカー本体が存在しないものにも使用できるという利点がある。
【０００８】
しかしながら、この実用新案は、図５（ａ）および図５（ｂ）で示すように、屋根部１４を有するベビーカー本体にカバー本体１０を取付ける場合には、屋根部１４（幌部）と逆Ｕ字状把手部の上部水平部の間の空間を十分に確保しなければならないので、逆Ｕ字状把手部の上部水平部の位置を高くしなければならない、カバー本体１０が常に所定の箇所に位置付けられているので、ベビーカーカバー９を折り畳むのに面倒である、不使用時、カバー本体１０の巻かれた或いは折り畳まれたベビーカーカバー９の一番外側と両端部が露出状態になる、カバー本体１０を逆Ｕ字状把手部から簡単に取り外すことができない等の問題点がある（符号は特許文献２のもの）。
【先行技術文献】
【特許文献】
【０００９】
【特許文献１】開２００７−６２４３７号公報
【特許文献２】実願２００９−１１３４（実用新案登録第３１５０４０８８号公報）
【考案の開示】
【考案が解決しようとする課題】
【００１０】
そこで、本考案の主たる課題は、特許文献１及び特許文献２の問題点に鑑み、ベビーカー本体の略逆Ｕ字形状の把手部分を基準にして、不使用時にはレインカバー本体を袋状収納部に簡単かつ短時間でコンパクトに収納するとこができると共に、使用時には、袋状収納部をそのまま略逆Ｕ字形状の把手部分に取り付けたままの状態で、把手部分の後方側からベビーカー本体の幌部の上面側へと位置変位させ、かつ、袋状収納部からレインカバー本体を引き出して短時間で座席空間の幼児を全体的に覆うことができること、及び所望する時には、レインカバー本体を収納した袋状収納部をＵ字形状の把手部分から自由に取り外すことができることである。本考案の第２の課題は、軽量性、収納性、展開性及び撥水性に優れたレインカバー本体を得ることである。本考案の第３の課題は、使用時、レインカバー本体を構成する小舟を反転した態様の曲面状正面側カバー部分と左右の下部側カバー部の合わせ端部を簡単に閉じることである。本考案の第４の課題は、使用時、幅広く広げたレインカバー本体の裾部分が、風圧によりベビーカー本体の左右の前脚部と後脚部から上方へと滑動しないことである。そして、本考案の第５の課題は、使用時、レインカバー本体の開口下端縁部が、風で広がらないようすることである。
【００１１】
本考案の前記ならびにそのほかの目的と新規な特徴は次の説明を添付図面と照らし合わせて読むと、より完全に明らかになるであろう。ただし、図面はもっぱら解説のためのものであって、本考案の技術的範囲を限定するものではない。
【課題を解決するための手段】
【００１２】
本考案のベビーカー用レインカバーは、ベビーカー本体に装着可能であると共に、袋状収納部にコンパクトに収納され、一方、該ベビーカー本体の座席空間に乗せた幼児を雨や風から防ぐ時は、前記袋状収納部から可撓性のレインカバー本体を引き出して前記座席空間の幼児を全体的に覆うことができるベビーカー用レインカバーであり、不使用時、前記袋状収納部は、前記ベビーカー本体の手押し杆の略逆Ｕ字形状の把手部分に着脱可能な連結部を介して一体的に装着され、しかも、前記把手部分の後方側と前記ベビーカー本体の幌部の上面側との間で前記連結部を介して自在に位置変位可能であり、一方、使用時、前記袋状収納部をそのまま前記略逆Ｕ字形状の把手部分に取り付けたままの状態で、前記把手部分の後方側から前記ベビーカー本体の幌部の上面側へと位置変位させ、かつ、前記袋状収納部をそのまま前記略逆Ｕ字形状の把手部分に取り付けたままの状態で該袋状収納部の一部を、係着機能を有する第１開閉手段を介して開口し、その中から前記袋状収納部に接続する前記レインカバー本体を広げるように引き出し、少なくとも前記座席空間を全体的に覆うことができることを特徴とする。
【００１３】
上記構成に於いて、前記可撓性のレインカバー本体は、撥水加工が施されたレインコート素材であることを特徴とする。また前記開口の中から引き出された前記レインカバー本体は、前記袋状収納部の開口からベビーカー本体の幌部を含む前記座席空間全体及び該ベビーカー本体の前脚の前輪付近まで幅広く広げることができ、その形態は小舟を反転した態様の曲面状正面側カバー部分と、この曲面状正面側カバー部分に対してその一部が前記袋状収納部側から所定方向へと分離し、かつ、前記把手部分の下端部に内側から係止させた状態で前方側へと広げられた下部側カバー部とを有し、曲面状正面側カバー部分の下端縁部と前記下部側カバー部の上端縁部を合わせた左右の両縁部は、係着機能を有する左右一対の第２開閉手段を介してそれぞれ閉じることができることを特徴とする。さらに、使用時、レインカバー本体の裾部分に取付けた複数の裾連結部は、ベビーカー本体の左右の前脚部と後脚部に対してそれぞれ係着自在であることを特徴とする。加えて、使用時、レインカバー本体の開口下端縁部は、風で広がらないように紐手段を介して締めることができることを特徴とする。
【００１４】
ここで「レインコート素材」には、少なくとも雨滴や溶けた雪などは通過することができない材質で、例えばポリエステル、ポリテトラフロロエチレン（ＰＴＦＥ）の多孔質構造、ビニール、ゴアテックス（登録商標）等が含まれるが、実施形態では、ポリエステルが用いられている。
【考案の効果】
【００１５】
ベビーカー本体の略逆Ｕ字形状の把手部分を基準にして、不使用時にはレインカバー本体を袋状収納部に簡単かつ短時間でコンパクトに収納するとこができると共に、使用時には、袋状収納部をそのまま略逆Ｕ字形状の把手部分に取り付けたままの状態で、把手部分の後方側からベビーカー本体の幌部の上面側へと位置変位させ、かつ、袋状収納部からレインカバー本体を引き出して短時間で座席空間の幼児を全体的に覆うことができる。また所望する時（例えば汚れを落としたい時）には、レインカバー本体を収納した袋状収納部をＵ字形状の把手部分から自由に取り外すことができる。
【図面の簡単な説明】
【００１６】
図１乃至図１０は本考案の実施形態の一例を示す各説明図である。
【図１】不使用時におけるレインカバーＸの斜め後方からの斜視図  （袋状収納部は幌部の上面へと位置変位可能）。
【図２】レインカバー本体５で座席空間を全体的に覆った使用時の説明図。
【図３】（ａ）はレインカバー本体を袋状収納部に収納した状態で、特に連結部の一例を示す。（ｂ）は同様にレインカバー本体を袋状収納部に収納した状態で、特に第１開閉手段の一例を示す。
【図４】ベビーカー本体Ｙの斜視図。
【図５】袋状収納部に設けられた第１開閉手段を操作する場合の説明図。
【図６】袋状収納部の開口からレインカバー本体を引き出し始めた中途状態の説明図。
【図７】曲面状正面側カバー部分と、下部側カバー部をそれぞれ異なる方向へ引っ張った状態を示す中途状態の説明図。
【図８】第２開閉手段を閉じる場合の説明図。
【図９】広げたレインカバー本体の裾部分にあるマジックテープ（登録商標）を、ベビーカー本体Ｙの脚部に止める場合の説明図。
【図１０】広げたレインカバー本体５の前側の裾部分及び後側の裾部分にそれぞれ設けた紐手段８、９を調節する場合の説明図（便宜上、後側の紐手段９を調節した所を示す）。
【考案を実施するための最良の形態】
【００１７】
以下、図面を参照にして、本考案の第１実施形態を説明する。図１は、ベビーカー用レインカバーＸ（以下、「レインカバーＸ」という）をベビーカー本体Ｙの略逆Ｕ字形状把手部分１２に取り付けた斜め背面側の斜視図である。この斜視図では、レインカバーＸの不使用時、該レインカバーＸは単数又は複数の連結部２を介して略逆Ｕ字形状把手部分１２の後方側に略水平状態に位置している。なお、袋状収納部１は、略逆Ｕ字形状把手部分１２に取付けた状態で横長であるが、設計変更如何によっては、略逆Ｕ字形状把手部分１２に取付けた状態で縦型であっても良い。また、袋状収納部１の形態は特に問わない。
【００１８】
図２及び図３で示すように、好ましい実施形態のレインカバーＸは、把手部分１２に取り外し可能な装着状態で横長の可撓性袋状収納部１と、この袋状収納部１の外壁面に所定間隔を有して接続し、かつ、略逆Ｕ字形状把手部分１２に着脱可能な複数の連結部２と、不使用時、前記袋状収納部１の中にコンパクトに収納され、一方、ベビーカー本体Ｙの座席空間に乗せた図示しない幼児を雨や風から防ぐ使用時には、前記袋状収納部１の一部を閉止位置から開放位置へと摺動するスライダーを有する第１開閉手段３を操作して開口４し（例えば図３を参照）、該開口４から引き出して前記座席空間の幼児を全体的に覆うことができる可撓性のレインカバー本体５（例えば図２参照）とから構成されている。
【００１９】
付言すると、レインカバーＸは、晴天や曇り空等の不使用時、横長の可撓性袋状収納部１は、ベビーカー本体Ｙの上端部側の手押し杆１１の略逆Ｕ字形状の把手部分１２に帯状或いは面状の係着機能を有する着脱可能な左右一対の連結部２を介して一体的に装着され、一方、雨が降ったり又は風が吹いたり等の使用時、袋状収納部１をそのまま前記略逆Ｕ字形状の把手部分１２に取り付けたままの状態で該袋状収納部の一部を、係着機能を有する第１開閉手段３を介して開口４し、その中から前記袋状収納部１に接続する前記レインカバー本体５を広げるように引き出し、少なくとも前記座席空間を全体的に覆うことができる。
【００２０】
実施形態では、前記可撓性のレインカバー本体５は、望ましくは撥水加工が施されたレインコート素材、例えばポリエステル製である。ポリエステルは、キャンプや登山の際に着用されるポンチョに用いられているが、ナイロンに比べて「サッと（一瞬に）」広げることができるので、レインカバーＸに最適な素材である。もちろん、袋状収納部１も、可撓性のレインカバー本体５と同様に防水・撥水加工が施されている。
【００２１】
しかして、前記開口４の中から引き出されたレインカバー本体５は、袋状収納部１の前記開口４からベビーカー本体Ｙの幌部１３を含む座席空間全体及び該ベビーカー本体Ｙの左右一対の傾斜状長杆１４の上腕部１４ａに連続する前脚部１４ｂの下端部にそれぞれ取り付けられた左右一対の前輪１５付近まで幅広く広げることができる。
【００２２】
そして、レインカバー本体５の形態は、例えば小舟を反転した態様の曲面状正面側カバー部分５ａと、この曲面状正面側カバー部分に対してその一部が前記袋状収納部１側から所定方向へと分離し、かつ、ベビーカー本体Ｙの把手部分１２の左右の下端部に内側から係止させた状態で、換言すると、袋状収納部１の開口４から手で引き出した幅広の背面カバー部５ｃを含む下部側カバー部５ｂを前記把手部分１２の中に通すようにし、かつ、把手部分１２の左右の下端部を折り返し基点として左右前方側へと広げられた左右一対の下部側カバー部５ｂとを有する。なお、曲面状正面側カバー部分５ａの適宜箇所（例えばガードアームが見える箇所）の一部は弧状透明部ａとなっている。
【００２３】
しかして、「サッ、サッと（例えば数秒間或いは数十秒間で）」手早く広げられたレインカバー本体５の前記曲面状正面側カバー部分５ａの下端縁部と前記折り返して広げられた下部側カバー部５ｂの上端縁部を合わせた左右の両縁部６、７は、係着機能を有する左右一対の第２開閉手段１０を介してそれぞれ閉じることができる。
【００２４】
ところで、ベビーカー本体Ｙの具体的構成は必須要件ではないので、その詳細は割愛するが、例えば図４で示すように、ベビーカー本体Ｙは、略逆Ｕ字形状の把手部分１２と、この把手部分の下端部に接続する幌部１３と、同様に前記把手部分の下端部に接続すると共に、上腕部１４ａ及び前脚部１４ｂを有する左右一対の傾斜状長杆１４と、前記前脚部１４ｂの下端部にそれぞれ取り付けられた左右一対の前輪１５と、前記左右一対の傾斜状長杆１４の略中央部にそれぞれ交差状態に軸支された左右一対の後脚部１６と、これらの後脚部１６の下端部に設けられた左右一対の後輪１７と、前記傾斜状長杆１４の略中央部に一体的に設けられた略逆Ｕ字形状のガードアーム１８とから構成されている。
【００２５】
ここで、図５乃至図１０を参照にして、レインカバーＸの装着段階から、袋状収納部をそのまま略逆Ｕ字形状の把手部分に取り付けたままの状態で、把手部分の後方側からベビーカー本体の幌部の上面側へと位置変位させ、その後、袋状収納部からインナーのレインカバー本体５を「サット」と素早く広げ、そして、レインカバー本体５の前後の裾部分に設けた紐手段８、９を調節する最終的段階まで、簡単に説明する。
【００２６】
まず図５は、ベビーカー本体Ｙの把手部分１２にレインカバーＸを装着した（Ｓｔｅｐ１）後に、該レインカバーＸをの後方側から前方側へと回転し（Ｓｔｅｐ２）、該レインカバーＸを幌部１３に上面に乗せた状態で、その袋状収納部１に設けられた第１開閉手段３を閉止位置から開放方向へと操作する場合の説明図（Ｓｔｅｐ３）である。前記Ｓｔｅｐ１の段階では、連結部２の一例としてのマジックテープ（登録商標）が上に位置するように把手部分１２に留める。マジックテープ（登録商標）２は、周知の係着機能を有することから、把手部分１２に対して取外し自在（係着自在）である。
【００２７】
次に図６は、第１開閉手段３を操作して袋状収納部１の一部を開口４した後（Ｓｔｅｐ４）、レインカバー本体５を前記開口から引き出し始めた中途状態の説明図（Ｓｔｅｐ５）である。第１開閉手段３は、実施形態では、閉止位置から務歯を摺動するスライダーの操作片を略水平状態或いはやや斜め方向（所定方向）に引いて開放位置で止める。これにより袋状収納部１の一部が開口４する。
【００２８】
次に図７は、レインカバー本体５の曲面状正面側カバー部分５ａと、この曲面状正面側カバー部分を広げると共に、背面カバー部５ｃを有する下部側カバー部５ｂを、略逆Ｕ字形状の把手部分１２と幌部１３に上面の間の空間を通し（Ｓｔｅｐ６）、かつ、該下部側カバー部５ｂを下方方向に引っ張った状態を示す中途状態の説明図（Ｓｔｅｐ７）である。
【００２９】
次に図８は、曲面状正面側カバー部分５ａの下端縁部６と下部側カバー部５ｂの上端縁部７を合わせるようにし、左右の両縁部６、７を左右一対の第２開閉手段１０を介してそれぞれ閉じる場合（Ｓｔｅｐ８）の説明図（便宜上、一方のみを示す）である。実施形態では、務歯を摺動するスライダーを上方から下方へと移動させる。
【００３０】
次に図９は、左右の両縁部を閉じた後（Ｓｔｅｐ９）、広げたレインカバー本体５の裾部分にある複数の裾連結部としてのマジックテープ（登録商標）ＭＴを、ベビーカー本体Ｙの左右の前脚部１４ｂ及び後脚部１６に４箇所止める場合（Ｓｔｅｐ１０）の説明図（便宜上、前脚部１４ｂの一方に止める所を示す）である。
【００３１】
さらに図１０は、広げたレインカバー本体５の前側の裾部分及び後側の裾部分にそれぞれ設けた紐手段８、９を調節する場合の説明図（便宜上、後側の紐手段９を調節した所を示す）である。その他前記裾部分に設けられたかつ前記紐手段８、９をそれぞれ案内する管状案内部等の細部的事項の説明は割愛する。なお、広げたレインカバー本体５を元の収納状態にする場合には、逆の手順で折り畳み状態にしながら袋状収納部１の中へ強制的に押し込む。
【００３２】
ところで、前述した第１開閉手段３及び第２開閉手段は、実施形態では務歯を摺動するスライダーについて述べたが、本考案の課題を達成することができる限り、一方の係着部と他方の係着部から成るものであっても良い。
【００３３】
ここでの「一方の係着部と他方の係着部」とは、互いに合わせた状態で外部から閉じる方向に物理的な力が加わったときに、互いに合体して袋体の開口部を閉じることができ、一方、前記開口部を閉じた状態で開く方向に物理的な力が加わったときに互いに離れて袋体の開口部を開くことができる一対の部材をいう。その典型例は複数個の雄ホックと雌ホックである。
【００３４】
また、実施形態の如く、スライターを有する、有しないにかかわらず、一方の係着部が筋状の雄型ファスナー、他方の係着部が筋状の雌型ファスナーであっても良い。また、一方の係着部が面ファスナーであると共に他方の係着部も面ファスナーである（両面が係脱できる構造体のもの）であっても良い。すなわち、両面が係脱できるマジックテープ（登録商標）ＭＴのようなものであっても良い。
【００３５】
加えて、両面が係脱できる構造体には、公知又は新規を問わず、微細な毛糸状や編目状の物同士が面状態で絡み合う係脱部材も含まれる。その他、袋状収納部１の連結部２や広げたレインカバー本体５の裾部分にある係着自在な裾連結部ＭＴは、これに限定するものではなく、適当な紐であっても良い。
【産業上の利用可能性】
【００３６】
本考案は、幼児（乳幼児も含む）をベビーカーに乗せた場合に使用される。
【符号の説明】
【００３７】
Ｘ…レインカバー、
Ｙ…ベビーカー本体  、      
１…袋状収納部、
２…連結部、
３…第１開閉手段、
４…開口、
５…レインカバー本体、
５ａ…曲面状正面側カバー部分、ａ…弧状透明部、
５ｂ…下部側カバー部、
５ｃ…背面カバー部、
１０…第２開閉手段、
１１…手押し杆、
１２…略逆Ｕ字形状把手部分、１３…幌部、
１４…傾斜状長杆、
１５…前輪、１７…後輪、
ＭＴ…裾連結部。
【図１】
0003227819.tif 000003
【図２】
0003227819.tif 000004
【図３】
0003227819.tif 000005
【図４】
0003227819.tif 000006
【図５】
0003227819.tif 000007
【図６】
0003227819.tif 000008
【図７】
0003227819.tif 000009
【図８】
0003227819.tif 000010
【図９】
0003227819.tif 000011
【図１０】
0003227819.tif 000012
【手続補正書】
【提出日】令和2年6月12日(2020.6.12)
【手続補正１】
【補正対象書類名】実用新案登録請求の範囲
【補正対象項目名】全文
【補正方法】変更
【補正の内容】
【実用新案登録請求の範囲】
【請求項１】
可撓性のレインカバー本体（５）を収納した袋状収納部（１）と、この袋状収納部の外面に接続する連結部としてのオス・メスの面ファスナー（２）と、前記袋状収納部に設けられ、務歯を摺動するスライダーを備えた第１開閉手段としてのスライダーファスナー（３）と、一方、前記レインカバー本体に設けられ、務歯を摺動するスライダーを有する第２開閉手段としてのスライダーファスナー（１０）を備え、
前記袋状収納部（１）は、前記連結部（２）を介してベビーカー本体（Ｙ）の手押し杆の略逆Ｕ字形状の把手部分に装着可能であると共に、前記袋状収納部をそのまま前記把手部分に取り付けたままの状態で、前記把手部分の後方側から前記ベビーカー本体の幌部の上面側へと位置変位させることが可能であり、
一方、該ベビーカー本体の座席空間に乗せた幼児を雨や風から防ぐ時は、前記袋状収納部から前記レインカバー本体を引き出して前記座席空間の幼児を全体的に覆うことができ、
前記レインカバー本体（５）は、前記袋状収納部（１）の開口(4)からベビーカー本体の幌部を含む前記座席空間全体及び該ベビーカー本体の前脚の前輪付近まで幅広く形成され、その形態は小舟を反転した態様の曲面状正面側カバー部分(5a)と、この曲面状正面側カバー部分に対してその一部が前記袋状収納部側から所定方向へと分離し、かつ、前記把手部分の下端部に内側から係止させた状態で前方側へと広げられた下部側カバー部(5b)とを有し、さらに、前記曲面状正面側カバー部分の下端縁部と下部側カバー部の上端縁部を合わせた左右の両縁部は、前記第２開閉手段を介してそれぞれ閉じることができる、ベビーカー用レインカバー（Ｘ）。
【請求項２】
請求項１のベビーカー用レインカバーに於いて、前記可撓性のレインカバー本体は、撥水加工が施されたレインコート素材であることを特徴とするベビーカー用レインカバー。
【請求項３】
請求項１のベビーカー用レインカバーに於いて、使用時、レインカバー本体の裾部分に取付けた複数の裾連結部は、ベビーカー本体の左右の前脚部と後脚部に対してそれぞれ係着自在であることを特徴とするベビーカー用レインカバー。
【請求項４】
請求項１のベビーカー用レインカバーに於いて、使用時、レインカバー本体の開口下端縁部は、風で広がらないように紐手段を介して締めることができることを特徴とするベビーカー用レインカバー。
【手続補正２】
【補正対象書類名】明細書
【補正対象項目名】全文
【補正方法】変更
【補正の内容】
【考案の詳細な説明】
【技術分野】
【０００１】
本考案は、幼児（乳幼児も含む）をベビーカーに乗せた場合に使用されるベビーカー用レインカバーに関する。
【背景技術】
【０００２】
特許文献１の発明の課題は、「屋外での突然の雨や、冷たい風からベビーカー使用中の乳幼児を保護するため、ベビーカーの居住空間全体を覆うレインカバーを簡便に装着することができ、使用後は簡単に収納可能であり、外出時に持参忘れの心配がないようにしたレインカバー装置を得ること」である。
【０００３】
上記課題を達成するために、特許文献１の発明は、ベビーカー本体に装着される幌２１の後部に、上記幌２１に被せてベビーカー本体を覆うことができるようにしたレインカバー２３を収納するレインカバー収納用のポケット２２を設けたもの」である。
【０００４】
すなわち、特許文献１の図１、図２及び段落００１１には、「  一方、上記手押し杆１５の左右のパイプ１８には拡開可能な幌２１が装着されている。上記幌２１の後部に位置する背面幌部２１ａの外表面には、図２に示すように、レインカバーを収納可能なレインカバー収納用のポケット２２が設けられている。」ことが記載されている。
【０００５】
しかしながら、特許文献１の発明は、常にレインカバーがポケット２２を介して幌２１の後部に取り付けられているので、外出時にレインカバーの持参忘れの心配をなくすことができる等の利点を有するものの、上記ポケット２２は、幌２１の後部背面の外表面に固定的に位置付けされた構成であるから、ポケット２２を操作し易い場所（例えば幌２１の上方）へと自由に移動させることができない、ポケット２２からレインカバー２３を引き出し、図３で示すように幌２１を含むベビーカー本体を略全体的に覆うには時間がかかり過ぎる、ポケット２２はベビーカー本体の装置の一部となるから、例えばレインカバー２３を洗濯したい場合には幌２１の後部背面から自由に取り外すことができない等の問題点があった（符号は特許文献１のもの）。
【０００６】
また特許文献２の段落００３０から段落００３６には、図５（ａ）、図５（ｂ）等と共に、次のような記載がある。
【０００７】
「図５（ａ）および図５（ｂ）に示されるように、本実施の形態３にかかわるベビーカーカバー９は、カバー本体１０の一部に、ベビーカー本体との接続部材１１が設けられ、前記接続部材１１に、ベビーカーを把持する把持部１２と、ベビーカーを保持する保持部材１３が設けられ、前記カバー本体の一部に、該保持部材と対応する被保持部材が設けられてなる。」
「実施の形態１にかかわるベビーカーカバー１は、弾性材４によりベビーカー本体の背もたれ部や座席部を覆うように装着されるが、ベビーカー本体の種類によっては、屋根部が設けられていないものもあり、そのような場合には、乳幼児の頭部付近を充分に仮保持することができないとも考えられる。」
「そこで、本実施の形態３のベビーカーカバー９には、ベビーカー本体と接続しうるよう接続部材１１が設けられ、かかる接続部材１１に設けられた把持部１２を使用することにより、ベビーカー本体の枠組みを把持し、屋根部１４が設けられていないベビーカーに使用した場合であっても、屋根部１４に相当する部位として機能させることができる。」  
「なお、屋根部１４が設けられているベビーカー本体に使用してもなんら問題はない（図５（ａ）および図５（ｂ）では、屋根部１４を有するベビーカー本体に使用した場合を例示）。接続部材１１の材質としては特に限定されず、防水、撥水効果を付与する目的では、たとえばフッ素樹脂コーティングを施したものが好ましい。」  
「さらに、前記接続部材１１に、カバー本体１０の一部を保持する保持部材１３を設け、前記カバー本体の一部に、該保持部材と対応する被保持部材を設けることも可能である。該被保持部材は、カバー本体１０の一部に設けられており、本実施の形態３のベビーカーカバー９を折りたたんだ際に、前記保持部材１３と係合するよう、対応する位置に設けられている。」
「保持部材１３および被保持部材の材質、形状としては特に限定されないが、保持部材１３が、たとえばフック状に形成されている場合は、被保持部材は、そのフックと対応するよう形成されていればよく、フックが係合するよう貫通孔になっていてもよい。また、保持部材１３や被保持部材は、それぞれ対応するボタンで形成されていてもよい。」
「さらに、両部材ともに磁石で形成されていてもよく、自由に選択することができる。その他の部材については、実施の形態１および２と同様であるため、説明を省略する。」
上記実用新案は、逆Ｕ字状把手部の上部水平部付近の左右腕杆部に、前記上部水平部に対して所定間隔離間してベルト状の水平接続部１１を張った状態に設け、かつ、このベルト状の水平接続部１１にカバー本体１０のベビーカーカバー９を折り畳むと共に保持部材で止めるようにしたので、屋根部１４（幌部）を有しないベビーカー本体が存在しないものにも使用できるという利点がある。
【０００８】
しかしながら、この実用新案は、図５（ａ）および図５（ｂ）で示すように、屋根部１４を有するベビーカー本体にカバー本体１０を取付ける場合には、屋根部１４（幌部）と逆Ｕ字状把手部の上部水平部の間の空間を十分に確保しなければならないので、逆Ｕ字状把手部の上部水平部の位置を高くしなければならない、カバー本体１０が常に所定の箇所に位置付けられているので、ベビーカーカバー９を折り畳むのに面倒である、不使用時、カバー本体１０の巻かれた或いは折り畳まれたベビーカーカバー９の一番外側と両端部が露出状態になる、カバー本体１０を逆Ｕ字状把手部から簡単に取り外すことができない等の問題点がある（符号は特許文献２のもの）。
【先行技術文献】
【特許文献】
【０００９】
【特許文献１】開２００７−６２４３７号公報
【特許文献２】実願２００９−１１３４（実用新案登録第３１５０４０８８号公報）
【考案の開示】
【考案が解決しようとする課題】
【００１０】
そこで、本考案の主たる課題は、特許文献１及び特許文献２の問題点に鑑み、ベビーカー本体の略逆Ｕ字形状の把手部分を基準にして、不使用時にはレインカバー本体を袋状収納部に簡単かつ短時間でコンパクトに収納するとこができると共に、使用時には、袋状収納部をそのまま略逆Ｕ字形状の把手部分に取り付けたままの状態で、把手部分の後方側からベビーカー本体の幌部の上面側へと位置変位させ、かつ、袋状収納部からレインカバー本体を引き出して短時間で座席空間の幼児を全体的に覆うことができること、及び所望する時には、レインカバー本体を収納した袋状収納部をＵ字形状の把手部分から自由に取り外すことができることである。本考案の第２の課題は、軽量性、収納性、展開性及び撥水性に優れたレインカバー本体を得ることである。本考案の第３の課題は、使用時、レインカバー本体を構成する小舟を反転した態様の曲面状正面側カバー部分と左右の下部側カバー部の合わせ端部を簡単に閉じることである。本考案の第４の課題は、使用時、幅広く広げたレインカバー本体の裾部分が、風圧によりベビーカー本体の左右の前脚部と後脚部から上方へと滑動しないことである。そして、本考案の第５の課題は、使用時、レインカバー本体の開口下端縁部が、風で広がらないようすることである。
【００１１】
本考案の前記ならびにそのほかの目的と新規な特徴は次の説明を添付図面と照らし合わせて読むと、より完全に明らかになるであろう。ただし、図面はもっぱら解説のためのものであって、本考案の技術的範囲を限定するものではない。
【課題を解決するための手段】
【００１２】
本考案のベビーカー用レインカバー（Ｘ）は、可撓性のレインカバー本体（５）を収納した袋状収納部（１）と、この袋状収納部の外面に接続する連結部としてのオス・メスの面ファスナー（２）と、前記袋状収納部に設けられ、務歯を摺動するスライダーを有する第１開閉手段としてのスライダーファスナー（３）と、一方、前記レインカバー本体に設けられ、務歯を摺動するスライダーを備えた第２開閉手段としてのスライダーファスナー（１０）を備え、  前記袋状収納部（１）は、前記連結部（２）を介してベビーカー本体（Ｙ）の手押し杆の略逆Ｕ字形状の把手部分に装着可能であると共に、前記袋状収納部をそのまま前記把手部分に取り付けたままの状態で、前記把手部分の後方側から前記ベビーカー本体の幌部の上面側へと位置変位させることが可能であり、一方、該ベビーカー本体の座席空間に乗せた幼児を雨や風から防ぐ時は、前記袋状収納部から前記レインカバー本体を引き出して前記座席空間の幼児を全体的に覆うことができ、前記レインカバー本体（５）は、前記袋状収納部（１）の開口(4)からベビーカー本体の幌部を含む前記座席空間全体及び該ベビーカー本体の前脚の前輪付近まで幅広く形成され、その形態は小舟を反転した態様の曲面状正面側カバー部分(5a)と、この曲面状正面側カバー部分に対してその一部が前記袋状収納部側から所定方向へと分離し、かつ、前記把手部分の下端部に内側から係止させた状態で前方側へと広げられた下部側カバー部(5b)とを有し、さらに、前記曲面状正面側カバー部分の下端縁部と下部側カバー部の上端縁部を合わせた左右の両縁部は、前記第２開閉手段を介してそれぞれ閉じることができることを特徴とする。
【００１３】
上記構成に於いて、前記可撓性のレインカバー本体は、撥水加工が施されたレインコート素材であることを特徴とする。また、使用時、レインカバー本体の裾部分に取付けた複数の裾連結部は、ベビーカー本体の左右の前脚部と後脚部に対してそれぞれ係着自在であることを特徴とする。さらに、使用時、レインカバー本体の開口下端縁部は、風で広がらないように紐手段を介して締めることができることを特徴とする。
【００１４】
ここで「レインコート素材」には、少なくとも雨滴や溶けた雪などは通過することができない材質で、例えばポリエステル、ポリテトラフロロエチレン（ＰＴＦＥ）の多孔質構造、ビニール、ゴアテックス（登録商標）等が含まれるが、実施形態では、ポリエステルが用いられている。
【考案の効果】
【００１５】
ベビーカー本体の略逆Ｕ字形状の把手部分を基準にして、不使用時にはレインカバー本体を袋状収納部に簡単かつ短時間でコンパクトに収納するとこができると共に、使用時には、袋状収納部をそのまま略逆Ｕ字形状の把手部分に取り付けたままの状態で、把手部分の後方側からベビーカー本体の幌部の上面側へと位置変位させ、かつ、袋状収納部からレインカバー本体を引き出して短時間で座席空間の幼児を全体的に覆うことができる。また所望する時（例えば汚れを落としたい時）には、レインカバー本体を収納した袋状収納部をＵ字形状の把手部分から自由に取り外すことができる。
【図面の簡単な説明】
【００１６】
図１乃至図１０は本考案の実施形態の一例を示す各説明図である。
【図１】不使用時におけるレインカバーＸの斜め後方からの斜視図  （袋状収納部は幌部の上面へと位置変位可能）。
【図２】レインカバー本体５で座席空間を全体的に覆った使用時の説明図。
【図３】（ａ）はレインカバー本体を袋状収納部に収納した状態で、特に連結部の一例を示す。（ｂ）は同様にレインカバー本体を袋状収納部に収納した状態で、特に第１開閉手段の一例を示す。
【図４】ベビーカー本体Ｙの斜視図。
【図５】袋状収納部に設けられた第１開閉手段を操作する場合の説明図。
【図６】袋状収納部の開口からレインカバー本体を引き出し始めた中途状態の説明図。
【図７】曲面状正面側カバー部分と、下部側カバー部をそれぞれ異なる方向へ引っ張った状態を示す中途状態の説明図。
【図８】第２開閉手段を閉じる場合の説明図。
【図９】広げたレインカバー本体の裾部分にあるマジックテープ（登録商標）を、ベビーカー本体Ｙの脚部に止める場合の説明図。
【図１０】広げたレインカバー本体５の前側の裾部分及び後側の裾部分にそれぞれ設けた紐手段８、９を調節する場合の説明図（便宜上、後側の紐手段９を調節した所を示す）。
【考案を実施するための最良の形態】
【００１７】
以下、図面を参照にして、本考案の第１実施形態を説明する。図１は、ベビーカー用レインカバーＸ（以下、「レインカバーＸ」という）をベビーカー本体Ｙの略逆Ｕ字形状把手部分１２に取り付けた斜め背面側の斜視図である。この斜視図では、レインカバーＸの不使用時、該レインカバーＸは単数又は複数の連結部２を介して略逆Ｕ字形状把手部分１２の後方側に略水平状態に位置している。なお、袋状収納部１は、略逆Ｕ字形状把手部分１２に取付けた状態で横長であるが、設計変更如何によっては、略逆Ｕ字形状把手部分１２に取付けた状態で縦型であっても良い。また、袋状収納部１の形態は特に問わない。
【００１８】
図２及び図３で示すように、好ましい実施形態のレインカバーＸは、把手部分１２に取り外し可能な装着状態で横長の可撓性袋状収納部１と、この袋状収納部１の外壁面に所定間隔を有して接続し、かつ、略逆Ｕ字形状把手部分１２に着脱可能な複数の連結部２と、不使用時、前記袋状収納部１の中にコンパクトに収納され、一方、ベビーカー本体Ｙの座席空間に乗せた図示しない幼児を雨や風から防ぐ使用時には、前記袋状収納部１の一部を閉止位置から開放位置へと摺動するスライダーを有する第１開閉手段３(好ましくはスライドファスナー)を操作して開口４し（例えば図３を参照）、該開口４から引き出して前記座席空間の幼児を全体的に覆うことができる可撓性のレインカバー本体５（例えば図２参照）とから構成されている。
【００１９】
付言すると、レインカバーＸは、晴天や曇り空等の不使用時、横長の可撓性袋状収納部１は、ベビーカー本体Ｙの上端部側の手押し杆１１の略逆Ｕ字形状の把手部分１２に帯状或いは面状の係着機能を有する着脱可能な左右一対の連結部２を介して一体的に装着され、一方、雨が降ったり又は風が吹いたり等の使用時、袋状収納部１をそのまま前記略逆Ｕ字形状の把手部分１２に取り付けたままの状態で該袋状収納部の一部を、係着機能を有する第１開閉手段３を介して開口４し、その中から前記袋状収納部１に接続する前記レインカバー本体５を広げるように引き出し、少なくとも前記座席空間を全体的に覆うことができる。
【００２０】
実施形態では、前記可撓性のレインカバー本体５は、望ましくは撥水加工が施されたレインコート素材、例えばポリエステル製である。ポリエステルは、キャンプや登山の際に着用されるポンチョに用いられているが、ナイロンに比べて「サッと（一瞬に）」広げることができるので、レインカバーＸに最適な素材である。もちろん、袋状収納部１も、可撓性のレインカバー本体５と同様に防水・撥水加工が施されている。
【００２１】
しかして、前記開口４の中から引き出されたレインカバー本体５は、袋状収納部１の前記開口４からベビーカー本体Ｙの幌部１３を含む座席空間全体及び該ベビーカー本体Ｙの左右一対の傾斜状長杆１４の上腕部１４ａに連続する前脚部１４ｂの下端部にそれぞれ取り付けられた左右一対の前輪１５付近まで幅広く広げることができる。
【００２２】
そして、レインカバー本体５の形態は、例えば小舟を反転した態様の曲面状正面側カバー部分５ａと、この曲面状正面側カバー部分に対してその一部が前記袋状収納部１側から所定方向へと分離し、かつ、ベビーカー本体Ｙの把手部分１２の左右の下端部に内側から係止させた状態で、換言すると、袋状収納部１の開口４から手で引き出した幅広の背面カバー部５ｃを含む下部側カバー部５ｂを前記把手部分１２の中に通すようにし、かつ、把手部分１２の左右の下端部を折り返し基点として左右前方側へと広げられた左右一対の下部側カバー部５ｂとを有する。なお、曲面状正面側カバー部分５ａの適宜箇所（例えばガードアームが見える箇所）の一部は弧状透明部ａとなっている。
【００２３】
しかして、「サッ、サッと（例えば数秒間或いは数十秒間で）」手早く広げられたレインカバー本体５の前記曲面状正面側カバー部分５ａの下端縁部と前記折り返して広げられた下部側カバー部５ｂの上端縁部を合わせた左右の両縁部６、７は、係着機能を有する左右一対の第２開閉手段１０(好ましくはスライドファスナー)を介してそれぞれ閉じることができる。
【００２４】
ところで、ベビーカー本体Ｙの具体的構成は必須要件ではないので、その詳細は割愛するが、例えば図４で示すように、ベビーカー本体Ｙは、略逆Ｕ字形状の把手部分１２と、この把手部分の下端部に接続する幌部１３と、同様に前記把手部分の下端部に接続すると共に、上腕部１４ａ及び前脚部１４ｂを有する左右一対の傾斜状長杆１４と、前記前脚部１４ｂの下端部にそれぞれ取り付けられた左右一対の前輪１５と、前記左右一対の傾斜状長杆１４の略中央部にそれぞれ交差状態に軸支された左右一対の後脚部１６と、これらの後脚部１６の下端部に設けられた左右一対の後輪１７と、前記傾斜状長杆１４の略中央部に一体的に設けられた略逆Ｕ字形状のガードアーム１８とから構成されている。
【００２５】
ここで、図５乃至図１０を参照にして、レインカバーＸの装着段階から、袋状収納部をそのまま略逆Ｕ字形状の把手部分に取り付けたままの状態で、把手部分の後方側からベビーカー本体の幌部の上面側へと位置変位させ、その後、袋状収納部からインナーのレインカバー本体５を「サット」と素早く広げ、そして、レインカバー本体５の前後の裾部分に設けた紐手段８、９を調節する最終的段階まで、簡単に説明する。
【００２６】
まず図５は、ベビーカー本体Ｙの把手部分１２にレインカバーＸを装着した（Ｓｔｅｐ１）後に、該レインカバーＸをの後方側から前方側へと回転し（Ｓｔｅｐ２）、該レインカバーＸを幌部１３に上面に乗せた状態で、その袋状収納部１に設けられた第１開閉手段３を閉止位置から開放方向へと操作する場合の説明図（Ｓｔｅｐ３）である。前記Ｓｔｅｐ１の段階では、連結部２の一例としてのマジックテープ（登録商標）が上に位置するように把手部分１２に留める。マジックテープ（登録商標）２は、周知のオス・メスの面ファスナーであることから、把手部分１２に対して取外し自在（係着自在）である。
【００２７】
次に図６は、第１開閉手段３を操作して袋状収納部１の一部を開口４した後（Ｓｔｅｐ４）、レインカバー本体５を前記開口から引き出し始めた中途状態の説明図（Ｓｔｅｐ５）である。第１開閉手段３は、実施形態では、閉止位置から務歯を摺動するスライダーの操作片を略水平状態或いはやや斜め方向（所定方向）に引いて開放位置で止める。これにより袋状収納部１の一部が開口４する。
【００２８】
次に図７は、レインカバー本体５の曲面状正面側カバー部分５ａと、この曲面状正面側カバー部分を広げると共に、背面カバー部５ｃを有する下部側カバー部５ｂを、略逆Ｕ字形状の把手部分１２と幌部１３に上面の間の空間を通し（Ｓｔｅｐ６）、かつ、該下部側カバー部５ｂを下方方向に引っ張った状態を示す中途状態の説明図（Ｓｔｅｐ７）である。
【００２９】
次に図８は、曲面状正面側カバー部分５ａの下端縁部６と下部側カバー部５ｂの上端縁部７を合わせるようにし、左右の両縁部６、７を左右一対の第２開閉手段１０を介してそれぞれ閉じる場合（Ｓｔｅｐ８）の説明図（便宜上、一方のみを示す）である。実施形態では、務歯を摺動するスライダーを上方から下方へと移動させる。
【００３０】
次に図９は、左右の両縁部を閉じた後（Ｓｔｅｐ９）、広げたレインカバー本体５の裾部分にある複数の裾連結部としてのマジックテープ（登録商標）ＭＴを、ベビーカー本体Ｙの左右の前脚部１４ｂ及び後脚部１６に４箇所止める場合（Ｓｔｅｐ１０）の説明図（便宜上、前脚部１４ｂの一方に止める所を示す）である。
【００３１】
さらに図１０は、広げたレインカバー本体５の前側の裾部分及び後側の裾部分にそれぞれ設けた紐手段８、９を調節する場合の説明図（便宜上、後側の紐手段９を調節した所を示す）である。その他前記裾部分に設けられたかつ前記紐手段８、９をそれぞれ案内する管状案内部等の細部的事項の説明は割愛する。なお、広げたレインカバー本体５を元の収納状態にする場合には、逆の手順で折り畳み状態にしながら袋状収納部１の中へ強制的に押し込む。
【００３２】
ところで、前述した第１開閉手段３及び第２開閉手段は、実施形態では務歯を摺動するスライダーについて述べたが、本考案の課題を達成することができる限り、一方の係着部と他方の係着部から成るものであっても良い。
【００３３】
ここでの「一方の係着部と他方の係着部」とは、互いに合わせた状態で外部から閉じる方向に物理的な力が加わったときに、互いに合体して袋体の開口部を閉じることができ、一方、前記開口部を閉じた状態で開く方向に物理的な力が加わったときに互いに離れて袋体の開口部を開くことができる一対の部材をいう。その典型例は複数個の雄ホックと雌ホックである。
【００３４】
また、実施形態の如く、スライターを有する、有しないにかかわらず、一方の係着部が筋状の雄型ファスナー、他方の係着部が筋状の雌型ファスナーであっても良い。また、一方の係着部が面ファスナーであると共に他方の係着部も面ファスナーである（両面が係脱できる構造体のもの）であっても良い。すなわち、両面が係脱できるマジックテープ（登録商標）ＭＴのようなものであっても良い。
【００３５】
加えて、両面が係脱できる構造体には、公知又は新規を問わず、微細な毛糸状や編目状の物同士が面状態で絡み合う係脱部材も含まれる。その他、袋状収納部１の連結部２や広げたレインカバー本体５の裾部分にある係着自在な裾連結部ＭＴは、これに限定するものではなく、適当な紐であっても良い。
【産業上の利用可能性】
【００３６】
本考案は、幼児（乳幼児も含む）をベビーカーに乗せた場合に使用される。
【符号の説明】
【００３７】
Ｘ…レインカバー、
Ｙ…ベビーカー本体  、      
１…袋状収納部、
２…連結部、
３…第１開閉手段、
４…開口、
５…レインカバー本体、
５ａ…曲面状正面側カバー部分、ａ…弧状透明部、
５ｂ…下部側カバー部、
５ｃ…背面カバー部、
１０…第２開閉手段、
１１…手押し杆、
１２…略逆Ｕ字形状把手部分、１３…幌部、
１４…傾斜状長杆、
１５…前輪、１７…後輪、
ＭＴ…裾連結部。